(57)【特許請求の範囲】
【請求項１】
回転軸と、前記回転軸の外周に締まりバメにより締結されたロータボスと、前記ロータボスに固定されたポリゴンミラーと、磁気回路を構成するロータマグネットと、前記ロータマグネットを保持し、前記ロータボスに固定されるカップ形ロータフレームとを備え、前記回転軸と前記ロータボスの締結部の軸方向中間には前記回転軸と前記ロータボスが接触しない空間部が設けられ、さらに前記締結部の空間部に対応する外周上に前記ポリゴンミラーとの嵌合部を有し、前記回転軸と前記ロータボスの上下２箇所の締結部のそれぞれの高さをｔとし、前記上側締結部の下端から前記ポリゴンミラーとの嵌合部の上端までの高さ、及び前記下側締結部の上端から前記ポリゴンミラーとの嵌合部の下端までの高さをｓとするとき、ｔとｓの関係がｓ＞ｔであることを特徴とするポリゴンミラースキャナモータ。 
【発明の詳細な説明】
【技術分野】
【０００１】
本発明はレーザプリンタ、レーザ複写機などのレーザ走査に用いられるポリゴンミラースキャナモータに関して、特に回転軸とポリゴンミラーを支えるための基準面となるロータボスとの締結構造を改善したものである。
【背景技術】
【０００２】
近年、レーザプリンタやレーザ複写機は高速印字、高画質の性能が要求されている。それに伴い、ポリゴンミラースキャナモータにおいても、高速回転、回転むら（ジッターと呼ぶ）の低減などが要求されている。
【０００３】
その中でもポリゴンミラーの面精度、組立精度がジッターに与える影響は大きい。昨今では、ポリゴンミラーの鏡面加工技術が進み、ミラーの平面度は非常に高い精度で仕上げることが可能となったため、モータにポリゴンミラーを取り付ける組立精度の向上が課題である。
【０００４】
ポリゴンミラーを取り付ける際にポリゴンミラーに不均一な荷重を加えると、ポリゴンミラーが変形し、基準面に対するレーザ光の反射面間にバラツキ（いわゆる面倒れ）が発生する（例えば、特許文献１参照）。
【０００５】
従来より、モータにポリゴンミラーを取り付ける際の加重を均一にするために、回転軸に締結固定されたロータボスの回転軸に垂直な平面にポリゴンミラーを板バネにより押圧して取り付ける構成が知られている（例えば、特許文献２参照）。
【０００６】
図２に上記従来のポリゴンミラースキャナモータの断面図を示す。１は回転軸、２はロータボスであり、回転軸１に圧入固定されている。３はポリゴンミラーであり、ロータボス２のポリゴンミラー嵌合部２ｂに沿って挿入され、回転軸１に固定された止め輪（グリップリング）５との間に圧縮した状態で挿入されたミラー押えバネ（板バネ）４の押圧力とによってポリゴンミラー３は固定される。
【０００７】
回転軸にロータボスを圧入等により締結すると、締め代の分、ロータボスには応力歪による外周方向への変形が発生する。この応力歪により、ポリゴンミラーとの嵌合部、つまりポリゴンミラー嵌合部の径が変化し、ポリゴンミラーに干渉し、鏡面（レーザ光の反射面）の平面度を悪化させるので、この応力歪の影響を無くすためにポリゴンミラーとポリゴンミラー嵌合部の隙間を大きくすると、組立時に回転軸とポリゴンミラーの中心軸のずれ（偏芯量と呼ぶ）のバラツキも大きくなる。従って、偏芯量が大きくなると、ポリゴンミラーとレーザとの距離が各面毎に異なり、ジッターに悪影響を及ぼすという課題がある。
【０００８】
この課題を解決するために、ロータボスの回転軸圧入部とポリゴンミラー挿入部との間に円環溝を形成し応力歪の影響を無くす構成が提案されている（例えば、特許文献３参照）。
【０００９】
図３に上記特許文献３に開示された従来のポリゴンミラースキャナモータの断面図を示す。図３において、ロータボス２の回転軸１圧入部２ｄとポリゴンミラー嵌合部２ｂとの間に、円環溝２ｃが形成されている。
【特許文献１】実公平３−２８８７号公報（第１−２頁、第１図）
【特許文献２】実開平３−４５０７３号公報（実願平１−１０３６２７号のマイクロフィルム（第３頁、図１））
【特許文献３】特許第３６７５１２５号公報（第４頁、図１）
【発明の開示】
【発明が解決しようとする課題】
【００１０】
しかしながら、上記特許文献３に開示された従来の構成では、ポリゴンミラーの内径が回転軸に対して、比較的大きい場合は、ロータボスに円環溝を形成することで、締結時の応力歪がポリゴンミラー嵌合部に影響するのを防ぐことができるが、ポリゴンミラーの小型化と共に、ポリゴンミラーの内径も小さくなるため、上記従来の構成において、ロータボスのポリゴンミラー嵌合部の肉厚が薄くなり、円環溝を形成できないため、圧入等による変形量、バラツキが大きくなる。
【００１１】
本発明は、このような従来の課題を解決するものであり、回転軸に圧入された後に発生するロータボスのポリゴンミラー嵌合部の変形量を抑え、ポリゴンミラーとロータボスの嵌め合い公差を小さくし、高精度なポリゴンミラースキャナモータを提供することを目的とする。
【課題を解決するための手段】
【００１２】
上記課題を解決するために本発明は、回転軸とロータボス締結部の軸方向中間のロータボス側に締結後も回転軸に接しないように空間部を設け、その空間部の半径方向延長線上にポリゴンミラー嵌合部を形成し、前記回転軸と前記ロータボスの上下２箇所の締結部のそれぞれの高さをｔとし、前記上側締結部の下端から前記ポリゴンミラーとの嵌合部の上端までの高さ、及び前記下側締結部の上端から前記ポリゴンミラーとの嵌合部の下端までの高さをｓとするとき、ｔとｓの関係がｓ＞ｔである構成としたポリゴンミラースキャナモータである。
【発明の効果】
【００１３】
本発明の請求項１に記載の発明は、回転軸に締まりバメにより締結されたロータボスの締結部の応力歪がポリゴンミラー嵌合部に伝達しないので、締結前後の変形量を大幅に抑えることができ、ポリゴンミラー嵌合部の径のバラツキを小さくできるという効果を有する。
【００１４】
また、本発明は、回転軸とロータボスが締結される部分から、ポリゴンミラー嵌合部を離して構成することによって、適切にポリゴンミラー嵌合部の径変化を抑制するという効果を有する。
【発明を実施するための最良の形態】
【００１５】
以下本発明を実施するための最良の形態について、図面を参照して説明する。
【００１６】
（実施の形態１）
図１は本発明の実施の形態１によるポリゴンスキャナモータの回転軸とロータボスの締結部及びポリゴンミラーの固定部の断面図のみを示し、その他の構成要素は図３に示す上記従来の技術と同様であるので省略する。
【００１７】
図１において、１は直径３ｍｍの回転軸、２はロータボスで回転軸１に締め代５μｍを有して締まりバメにより締結され、３はポリゴンミラーでロータボス２のポリゴンミラー嵌合部２ｂを介して、嵌め合い固定される。回転軸１と締まりバメにより締結されるロータボス２の中間部には、回転軸１とロータボス２の締めしろ５μｍよりも深い１０μｍの溝２ａが形成されている。また、ロータボスとポリゴンミラー３が嵌合されるポリゴンミラー嵌合部２ｂは、溝２ａの半径方向延長上に形成している。
【００１８】
上記構成により、回転軸１とロータボス２の締結によるロータボス２の径方向の応力歪みが、ポリゴンミラー嵌合部２ｂに伝わらずに、締結前後において、ポリゴンミラー嵌合部２ｂの径変化を最小限に抑え、なおかつ回転軸１とロータボス２は適正な締結力を保持
している。
【００１９】
本実施の形態においては、回転軸１とロータボス２の締結部は軸方向上下２箇所に形成され、その各々の長さｔを０．５ｍｍ、上側締結部下端からポリゴンミラー嵌合部上端までの距離ｓを０．７ｍｍと設定している。下側締結部上端からポリゴンミラー嵌合部下端までの距離ｓについても同様に０．７ｍｍとしている。以上のように、ｓ＞ｔの関係にすることで、ポリゴンミラー嵌合部２ｂの径変化量を効果的に抑えることができる。
【００２０】
表１に、溝２ａがない場合、ｓ＜ｔの場合、ｓ＞ｔの場合、３つの条件でのポリゴンミラー嵌合部の径変化量のデータを示す。ｓ＞ｔの場合は径変化量が０〜２μｍに留まっており、応力歪みがポリゴンミラー嵌合部に影響を及ぼさない効果があることが確認できる。なお、回転軸とロータボスとの締結は、圧入あるいは焼き嵌め等締まりバメであれば、いずれも方法によっても同様な効果が得られる。
【００２１】
【表１】
0004789591.tif 000002
【産業上の利用可能性】
【００２２】
本発明のポリゴンミラースキャナモータは、回転軸とポリゴンミラーを支えるロータボスとの締結方法において、従来に比べて、ロータボスのポリゴンミラーを嵌合するポリゴンミラー嵌合部の径変化量を抑制し、ポリゴンミラーとロータボスの嵌め合い公差を小さく設計でき、ポリゴンミラーと回転軸の偏芯量を効果的に抑制し、安定したレーザ走査精度が求められるポリゴンミラースキャナモータとして有用である。
【図面の簡単な説明】
【００２３】
【図１】本発明の実施の形態１における回転軸とロータボスの締結部及びポリゴンミラーの固定部の断面図
【図２】従来のポリゴンミラースキャナモータの断面図
【図３】別の従来のポリゴンミラースキャナモータの断面図
【符号の説明】
【００２４】
１  回転軸
２  ロータボス
２ａ  ロータボス内径の溝
２ｂ  ポリゴンミラー嵌合部
２ｃ  円環溝
２ｄ  回転軸圧入部
３  ポリゴンミラー
４  板バネ
５  グリップリング
ｓ  締結部のポリゴンミラー嵌合部の距離
ｔ  締結部長さ
【図１】
0004789591.tif 000003
【図２】
0004789591.tif 000004
【図３】
0004789591.tif 000005